(57)【要約】      （修正有）【課題】コンパクトな構造で利便性の高い、繊維リボンの二つの端部をつなぐスライドロックを提供する。【解決手段】繊維リボンの二つの端部をつなぐスライドロックであって、前記スライドロックは、空洞を有する外部スリーブと、少なくとも一つの先端部を有するロッキング部であって、前記外部スリーブの前記空洞内に装着されている前記ロッキング部とを備え、前記外部スリーブは、前記ロッキング部用の複数の止めを有する開口部と、前記ロッキング部の挿入を可能にする開口部とを有し、前記ロッキング部を前記空洞内に保持するように前記止めと協力する複数のロッキング部分が前記外部スリーブに更に備えられる。本スライドロックの構成はコンパクトで作用する部品はなく、特殊な工具を使う必要がなく、従って使用するときに都合が良い。【選択図】図１
0003164101.tif 000002
【実用新案登録請求の範囲】
【請求項１】
繊維リボンの二つの端部をつなぐスライドロックであって、前記スライドロックは、
空洞を有する外部スリーブと、
少なくとも一つの先端部を有するロッキング部であって、前記外部スリーブの前記空洞内に装着されている前記ロッキング部と、
を備え、
前記外部スリーブは、前記ロッキング部用の複数の止めを有する開口部と、前記ロッキング部の挿入を可能にする開口部とを有し、前記ロッキング部を前記空洞内に保持するように前記止めと協力する複数のロッキング部分が前記外部スリーブに更に備えられることを特徴とする、スライドロック。
【請求項２】
複数の前記ロッキング部分は、前記空洞の内壁にある複数のロッキングブロックであることを特徴とする、請求項１に記載のスライドロック。
【請求項３】
複数の前記ロッキング部分は、前記空洞の前記内壁にある複数の溝であることを特徴とする、請求項１に記載のスライドロック。
【請求項４】
前記止めは前記外部スリーブの一方の端部に備えられて、前記ロッキング部分は前記外部スリーブの他方の前記端部に備えられて、前記ロッキング部は前記止め及び前記ロッキング部分の間に完全に保持されることを特徴とする、請求項１に記載のスライドロック。
【請求項５】
前記止めは前記外部スリーブの一方の端部に備えられて、前記ロッキング部分は前記外部スリーブの一方の前記端部の近くの前記空洞の前記内壁に備えられて、前記ロッキング部分に対して座屈する複数のロッキングフックは前記ロッキング部から外側へ延長していることを特徴とする、請求項１に記載のスライドロック。
【請求項６】
前記ロッキング部は一つの部品であり、前記ロッキング部は、前記止めが設置されている前記外部スリーブの前記開口部に対応する開口部を一方の端部に有し、少なくとも一つの前記先端部を他方の前記端部に有することを特徴とする、請求項１に記載のスライドロック。
【請求項７】
前記ロッキング部は一つの部品であり、前記ロッキング部は、前記外部スリーブの各々の前記開口部に対応する開口部を各端部に有し、前記ロッキング部の複数の前記開口部の間に少なくとも一つの先端部を有すること特徴とする、請求項１に記載のスライドロック。
【請求項８】
前記ロッキング部は、第一ロッキング部部分と、前記第一ロッキング部部分の反対にある第二ロッキング部部分とを有し、それらの間にたわみ部分が接合されていることを特徴とする、請求項１に記載のスライドロック。
【請求項９】
前記たわみ部分に、前記リボンを通すことを可能にする開口部が形成されていることを特徴とする、請求項８に記載のスライドロック。
【請求項１０】
前記第一ロッキング部部分には少なくとも一つの先端部が備えられて、
前記第二ロッキング部部分にも少なくとも一つの先端部が備えられて、前記先端部は前記第一ロッキング部部分の少なくとも一つの前記先端部に対して千鳥状であることを特徴とする、請求項８に記載のスライドロック。
【請求項１１】
前記スリーブの前記空洞は略長方形の断面を有することを特徴とする、請求項１に記載のスライドロック。
【請求項１２】
複数の前記止めは前記外部スリーブの一方の端部の二つの側部に対称的に設けられて、複数の前記ロッキング部分は前記外部スリーブの他方の前記端部に対称的に設けられていることを特徴とする、請求項１に記載のスライドロック。
【請求項１３】
前記止めは前記外部スリーブの一方の端部の二つの側部に対称的に設けられて、前記ロッキング部分は前記外部スリーブの一方の前記端部の近くの前記空洞の前記内壁に対称的に設けられていることを特徴とする、請求項１に記載のスライドロック。
【考案の詳細な説明】
【技術分野】
【０００１】
本考案は、繊維リボンの二つの端部をつなぐスライドロックに関する。
【０００２】
多数の出願では、ロックを介してリボンの端部をつなぎ、使用者の手首の周りにループ識別物品（loop identifier）を形成することが望ましい。例えば、イベントに参加するときに、繊維リボンはイベントの会場（または複数の会場）への譲渡が不可能な「入場券」として使用することができる。この様な入場権利リボン用のロックとしての初めての構成の一つとしては単純な金属スリーブがあり、ループを所望の寸法に適合するように調整した後、この位置でリボンの端部を留めるように対応する工具によりスリーブは変形される。この解決策の不利点は、ロックの位置を留めて固定するには工具が必要であり、スリーブの変形に用いる力がクランプロック（clamping lock）の強固さを決定することである。改良品として、押込み部分を有するロックが設けられており、外部スリーブは円筒形スリーブであり、押込み部分は二つの半円筒形の押込み部分要素からなり、組み立て中に押込み部分の二つの半分は簡単に折り畳まれて外部スリーブ内へ押し込まれることが可能である。各々の押込み部分要素には少なくとも一つの先端部が備えられて、使用する場合には、繊維リボンの二つの端部は最初外部スリーブを通り引っ張られて、そして押込み部分要素内へ引っ張られて、そして二つの押込み部分要素は折り畳まれて外部スリーブ内へ押し込まれて、これにより繊維リボンは複数の先端部によって締め付けられて従って固定されて、繊維リボンの長さは先端部方向に沿って引き続き調整することができる。しかしながら、このロックの構成では、搬送及び収納するときに簡単に無くし得る作用する部品が多すぎ、また組み立て工程が多すぎる。従って、使用するには不都合があった。
【考案の概要】
【０００３】
従来技術及びそれらに伴う不足点より、本考案の目的は、コンパクトな構成で利便性の高い、繊維リボンの二つの端部をつなぐスライドロックを備えることである。
【０００４】
本考案の上記の目的は下記の技術的な解決策により達成される。繊維リボンの二つの端部をつなぐロックであって、前記ロックは、空洞を有する外部スリーブと、少なくとも一つの先端部を有するロッキング部であって、前記外部スリーブの前記空洞内に装着されている前記ロッキング部と、を備え、前記外部スリーブは、前記ロッキング部用の複数の止めを有する開口部と、前記ロッキング部の挿入を可能にする開口部とを有し、前記ロッキング部を前記空洞内に保持するように前記止めと協力する複数のロッキング部分が前記外部スリーブに更に備えられることを特徴とする、スライドロック。
【０００５】
ロッキング部は、複数の止めと複数のロッキング部分とを介して外部スリーブ内に直接固定される。繊維リボンの二つの端部は、スリーブの複数の開口部を通り引っ張られることが可能である。ロッキング部の複数の先端部は繊維リボンを貫通して、繊維リボンが逆に引っ張られるときにリボンを固定する。スライドロックは作用する部品が少なくコンパクトな構成であり、複雑な事前組立ては必要なく、繊維リボンの固定に直接使用できる。
【０００６】
好ましくは、複数の前記ロッキング部分は、前記空洞の内壁にある複数のロッキングブロックであっても良い。
【０００７】
或いは、複数の前記ロッキング部分は、前記空洞の前記内壁にある複数の溝であっても良い。
【０００８】
好ましくは、前記止めは前記外部スリーブの一方の端部に備えられて、前記ロッキング部分は前記外部スリーブの他方の前記端部に備えられて、前記ロッキング部は前記止め及び前記ロッキング部分の間に完全に保持される。ロッキング部はスリーブのロッキング部分に対してしっかりと座屈できるようなフックを有するため、摺動させられる場合に壊れることはない。更に、ロッキング部をスリーブ内に挿入することがとても簡単なのは、スリーブの他の端部が単純な開口部であるためである。
【０００９】
或いは、前記止めは前記外部スリーブの一方の端部に備えられて、前記ロッキング部分は前記外部スリーブの一方の前記端部の近くの前記空洞の前記内壁に備えられて、前記ロッキング部分に対して座屈する複数のロッキングフックは前記ロッキング部から外側へ延長している。
【００１０】
好ましくは、前記ロッキング部は一つの部品であり、前記ロッキング部は、前記止めが設置されている前記外部スリーブの前記開口部に対応する開口部を一方の端部に有し、少なくとも一つの前記先端部を他方の前記端部に有する。
【００１１】
或いは、前記ロッキング部は一つの部品であり、前記ロッキング部は、前記外部スリーブの各々の前記開口部に対応する開口部を各端部に有し、前記ロッキング部の複数の前記開口部の間に少なくとも一つの先端部を有する。
【００１２】
好ましくは、前記ロッキング部は、第一ロッキング部部分と、前記第一ロッキング部部分の反対にある第二ロッキング部部分とを有し、それらの間にたわみ部分が接合されている。このように、第一ロッキング部部分と第二ロッキング部部分とを一つとして製造することができ、ロッキング部は第一ブロッキング部部分をたわみ部分に沿って第二ブロッキング部部分に対して折り畳むことで得られる。好ましくは、前記たわみ部分に、前記リボンを通すことを可能にする開口部が形成されて、従って、ロッキング部がシートメタルから構成されるときには、たわみ部分はシートメタルから開口部を単に打ち抜くことで得ても良い。
【００１３】
好ましくは、前記第一ロッキング部部分には少なくとも一つの先端部が備えられて、前記第二ロッキング部部分にも少なくとも一つの先端部が備えられて、前記先端部は前記第一ロッキング部部分の少なくとも一つの前記先端部に対して千鳥状である。このように、繊維リボンがロッキング部を通り引っ張られている間、抵抗は少なくなる。更に、繊維リボンが逆に引っ張られている間、複数の先端部は繊維リボンに千鳥状に貫通して、従って抵抗は釣合がとれて繊維リボンの変形が減少する。更に、少なくとも一つの先端部は好ましくは第一ロッキング部部分と第二ロッキング部部分との間の中心より若干先へ延長して、繊維リボンが逆に引っ張られる間複数の先端部が繊維リボンに更にしっかりと貫通してリボンを固定するようになる。
【００１４】
好ましくは、前記スリーブの前記空洞は略長方形の断面を有する。このように、ロッキング部はスリーブに対して簡単に回転又は移動されることがなく、従ってスリーブ内に安定してロックされる。
【００１５】
好ましくは、複数の前記止めは前記外部スリーブの一方の端部の二つの側部に対称的に設けられて、複数の前記ロッキング部分は前記外部スリーブの他方の前記端部に対称的に設けられている。
【００１６】
或いは、前記止めは前記外部スリーブの一方の端部の二つの側部に対称的に設けられて、前記ロッキング部分は前記外部スリーブの一方の前記端部の近くの前記空洞の前記内壁に対称的に設けられている。
【００１７】
本考案によると、スライドロックの構成はコンパクトで作用する部品はなく、特殊な工具を使う必要がない。従って、使用するとき及び搬送にも都合が良い。
【図面の簡単な説明】
【００１８】
【図１】図１は、本考案の第一実施形態による外部スリーブの断面図である。
【図２】図２は、本考案の第一実施形態による外部スリーブの上面図である。
【図３】図３は、本考案の第一実施形態による外部スリーブの底面図である。
【図４】図４は、本考案の第一実施形態によるスライドロックの上面図である。
【図５】図５は、本考案の第一実施形態のロッキング部である。
【図６】図６は、折り畳んだ後のロッキング部の概略構成図である。
【図７】図７は、本考案の第二実施形態の外部スリーブの概略断面図である。
【図８】図８は、図７に示している外部スリーブの概略上面図である。
【図９】図９は、本考案の第二実施形態のロッキング部の概略前面図である。
【図１０】図１０は、図９に示しているロッキング部の概略側面図である。
【図１１】図１１は、折り畳む前の拡大した状態のロッキング部の概略図である。
【図１２】図１２は、図９に示しているロッキング部及び図７に示している外部スリーブの概略組立図である。
【考案を実施するための形態】
【００１９】
図１から図６を参照すると、第一実施形態による繊維リボンの二つの端部をつなぐスライドロックが示されている。ロックは、外部スリーブ１と外部スリーブ１内に装着されているロッキング部２とを備えている。外部スリーブ１は、その両端部に開口部８、９をそれぞれ有している。スリーブの空洞は略長方形の断面を有する。このように、ロッキング部はスリーブに対して簡単に回転又は移動されることはなく、従ってスリーブ内に安定して固定される。繊維リボンの二つの端部は一つの開口部内へ挿入されて、もう一つの開口部から引き出されることができる。図２及び図３を参照すると、複数の止め３は、外部スリーブ１の一方の端部で、内壁に対称的に配置されている。開口部８のギャップは、開口部９のギャップより小さい。複数のロッキングブロック４は、開口部９が設置されている外部スリーブ１の端部の内壁に対称的に備えられている。従って、複数のロッキングブロック４と複数の止め３との間に空洞が規定されている。複数のロッキングブロック４は空洞へ向かって延長して、止め３と協力してロッキング部２を空洞内に保持する。従って、スライドロックはコンパクトな構成であり作用する部品がなく、リボンの二つの端部をつなぐのに特殊な工具を用いる必要がない。
【００２０】
図５及び図６を参照すると、本実施形態では、ロッキング部２はシートメタルから構成されている。ロッキング部２は第一ロッキング部部分５と第二ロッキング部部分６とからなり、それらはたわみ部分１１により互いに接続されている。第一ロッキング部部分５と第二ロッキング部部分６との各々に二つの先端部７が備えられており、それらは外側へ延長している。たわみ部分１１に沿って折り畳んだ後、四つの先端部７は互いに対して千鳥状に配置されて、内側へ延長している。同じ側面には、第一ロッキング部部分５と第二ロッキング部部分６とのそれぞれに、ロッキングブロック４の位置に対応する斜面（slope）１０が設けられており、斜面はロッキング部２の外部スリーブ１内への挿入を容易にする。
【００２１】
図４を参照すると、ロッキング部２は止め３とロッキングブロック４との間に完全に保持されている。第一ロッキング部部分５と第二ロッキング部部分６とに設けられている複数の先端部７は互いに対して千鳥状に配置されている。理解しやすいように、繊維リボンは図示されていない。使用する場合には、繊維リボンの両端部は、先端部７の延長方向に沿って、ロッキング部２を通り引っ張られる。そして、繊維リボンは逆に引っ張られて、先端部７が繊維リボンを貫通して、ロッキング部２と外部スリーブ１とに対する繊維リボンの動きを止めて、ロックされることになり、それでループが作成される。しかしながら、繊維リボンは先端部７の延長方向に沿って引き続き引っ張り出すことが可能である。
【００２２】
ここで、図７から図１２を参照すると、第二実施形態による繊維リボンの二つの端部をつなぐロックが示されている。ロックは、外部スリーブ１とロッキング部２とを備えている。外部スリーブ１は、ロッキング部用の止め３を有する開口部１２と、ロッキング部２の挿入を可能にする開口部１４とを有する。ロッキングブロック４は外部スリーブ１内に更に備えられて、ロッキングブロック４は空洞へ向かい延長してそして止め３と協力してロッキング部２を空洞内に保持する。スリーブの空洞は、略長方形の断面を有する。
【００２３】
図１２に示すように、複数の止め３は、外部スリーブ１の一方の端部に好ましくは対称的に備えられている。ロッキングブロック４は、外部スリーブ１の一方の端部の近くに空洞の内側の左及び右の側壁に、好ましくは対称的に、備えられている。ロッキングブロック４に対して座屈する（buckling）複数のロッキングフック１３はロッキング部２から外側へ延長して、複数のロッキングブロック４の位置に対応している。当業者には明らかなように、ロッキングブロック４はロッキングフック１３と協力する複数の溝と交換してもよく、それによりロッキング部２が空洞に固定されるという同じ効果を提供する。
【００２４】
図７及び図８に示すように、金型部分が開口部８を通ることを可能にするように、ロッキングブロック４に対応する開口部８がスリーブ１の上部に形成されて、成形後にロッキングブロック４が形成されても良いようになっている。
【００２５】
図９から図１１を参照すると、ロッキング部２は一つの部品であり、ロッキング部２はリボンを通すことを可能にする開口部９を有し、ロッキング部２は一方の端部では外部スリーブ１の開口部１２に対応して他方の端部では五つの先端部７を有している。ロッキング部２は、三つの先端部７を有する第一ロッキング部部分５と、二つの先端部７を有し、第一ロッキング部部分５の反対側にある第二ロッキング部部分６と、を有している。第一ロッキング部部分５は、たわみ部分１１により第二部部分６に接続されている。本実施形態では、ロッキング部２はシートメタルから構成されている。リボンを通すことを可能にする開口部９はたわみ部分１１に形成されて、従って、シートメタルから開口部９を単に打ち抜くことによってたわみ部分１１を得ても良い。従って、図９に示しているロッキング部は、展開されている状態のロッキング部を、図１１に示すようにたわみ部分１１に沿って、つまりＡ−Ａ線に沿って、折り畳むことによって得られる。複数のロッキングフック１３は、リボンが通ることを可能にする開口部９の二つの両側に形成されて、打ち抜きによって開口部９と共に一工程で得ても良い。
【００２６】
先端部７は第一ロッキング部部分５と第二ロッキング部部分６との間の中心をわずかに越えて延長しており、繊維リボンが逆に引っ張られている間に先端部７が繊維リボンによりしっかりと貫通するようになり、リボンを固定する。
【００２７】
図９及び図１２でより良く理解できるように、ロッキング部がスリーブ１内により簡単に挿入できるように、斜面１０がロッキングフック１３に形成されている。
【００２８】
第一実施形態の構成と比べると、第二実施形態のロックでは、ロッキング部はスリーブの内側の左側及び右側のロッキングブロックに対してしっかりと座屈することを可能にする二つのフックを有し、ロッキング部が摺動させられる場合に壊れない。第一実施形態の構成では、ロッキング部が飛び出て、このような場合に壊れることが時々生じた。更に、スリーブの単純な開口部のために、ロッキング部をスリーブ内に挿入することがとても簡単である。更に、第二実施形態ではロッキングブロックは止めの近くにあり、ロッキングブロックを形成する型の弱い部分は長さが比較的短く、型の開け閉めの工程の間に簡単には壊れない。従って、外部スリーブを形成する型はとても長い寿命を有することになる。
【００２９】
本考案の前述した実施形態、特にあらゆる好ましい実施形態は、単に可能な実施例であり、本考案の原理を明確に理解するために単に示されていることは強調するべきである。本考案の範囲及び原則から実質的に逸脱することなく、本考案の前述の実施形態（複数の）に多くの変形及び変更を用いても良い。このような全ての変更例及び変形例は、本明細書の開示及び本考案の範囲内に含まれることを意図しており、下記の請求項により保護される。
【図１】
0003164101.tif 000003
【図２】
0003164101.tif 000004
【図３】
0003164101.tif 000005
【図４】
0003164101.tif 000006
【図５】
0003164101.tif 000007
【図６】
0003164101.tif 000008
【図７】
0003164101.tif 000009
【図８】
0003164101.tif 000010
【図９】
0003164101.tif 000011
【図１０】
0003164101.tif 000012
【図１１】
0003164101.tif 000013
【図１２】
0003164101.tif 000014